(57)【特許請求の範囲】
【請求項１】
フィルムを袋状に形成したパウチであって、内部に収容部が形成されたパウチと、前記パウチの収容部に連通する充填口が形成された基部材であって、前記パウチの一部分に装着された基部材と、前記基部材にネジ機構を介して取り付けられ且つ供給用チューブを装着可能なノズル部であって、前記充填口に連通する注出口が設けられているノズル部と、前記ノズル部の注出口を閉塞するキャップ部と、を有し、前記キャップ部を軸線回り他方向に回すことによって、前記キャップ部をノズル部の注出口から分離可能な注出口付き容器において、
前記ネジ機構は、ノズル部を軸線回り一方向に回すことによって、ノズル部を基部材に対して締め付け、且つノズル部を軸線回り他方向に回すことによって、ノズル部を基部材に対して緩められるように構成されており、
前記キャップ部が軸線回り一方向に回ることを規制し且つ前記キャップ部が軸線回り他方向に回ることを許容するキャップ回止め機構、及び
前記ノズル部が前記キャップ回止め機構の回転規制方向である前記軸線回り一方向に回ることを許容し且つ前記軸線回り他方向に回ることを規制するノズル回止め機構がそれぞれ設けられていることを特徴とする注出口付き容器。
【請求項２】
前記ノズル部及びキャップ部が、合成樹脂の一体成形品で形成されている請求項１に記載の注出口付き容器。
【発明の詳細な説明】
【技術分野】
【０００１】
本発明は、パウチに注出口が設けられた注出口付き容器に関する。
【背景技術】
【０００２】
従来、可撓性のあるフィルムを袋状に形成したパウチに、注出口（スパウトとも呼ばれる）を装着した注出口付き容器が知られている。該注出口付き容器は、飲料、ゼリーなどの一般的な食品を収容する用途、或いは、ビタミン類やアミノ酸などを含有する輸液、経管経腸栄養剤などの医療用流動体を収容する用途等として利用されている。
上記注出口付き容器は、通常、注出口を閉塞するため、注出口にネジ作用によって着脱可能なキャップ部が設けられている。
さらに、医療用流動体を収容する用途に用いられる場合、患者に投与するための供給用チューブを装着するためのノズル部を有する注出口付き容器も知られている。
【０００３】
上記ノズル部を有する注出口付き容器としては、パウチの周縁部に注出口部材がシールされてなる経管経腸栄養剤用包装袋であって、パウチの内部に連通する充填口を有するとともに、パウチの周縁部のフィルム間に挟み込まれてシールされる基部と、基部に着脱可能に装着されるとともに、先端部にチューブを接続するための注出口が前記充填口と連通するように設けられたノズル部と、注出口を封鎖するキャップと、を有する経管経腸栄養剤用包装袋が知られている（特許文献１）。
【０００４】
上記特許文献１に記載の包装袋は、パウチの周縁部のフィルム間に挟み込まれてシールされた基部の充填口から、内容物を充填した後、キャップで封鎖されたノズル部を、前記基部にネジ機構を介して取り付けることによって、内容物を密封状に収容できる。
上記内容物を密封状に収容した包装袋は、ノズル部に対してキャップを回すことにより、キャップとノズル部の間を千切り、ノズル部の注出口を開口させることができる。
該注出口が開口したノズル部に、供給用チューブを装着することによって、注出口から供給用チューブを介して、経管経腸栄養剤を投与できる。
【特許文献１】特開２００６−６１５５４号公報
【発明の開示】
【発明が解決しようとする課題】
【０００５】
しかしながら、上記特許文献１に記載の経管経腸栄養剤用包装袋は、ネジ機構を介してノズル部を基部に取り付ける際、キャップがノズル部から破断する虞がある。
具体的には、上記従来の包装袋は、充填口から内容物を充填した後、充填口を閉塞するために、ノズル部がネジ機構を介して基部に取り付けられる。つまり、ノズル部の取付けは、該ノズル部を軸線回り一方向に回すことによって、ノズル部を基部に締め付ける。このノズル部を回す際に、誤ってキャップに回転力が加わり、キャップがノズル部に対して回ることによって、キャップとノズル部の間において部分的に破断を生じる場合がある。このようにキャップが部分破断したノズル部は、ノズル部の注出口から内容物が漏れ出るので、その改善が求められる。
【０００６】
また、内容物を充填後の包装袋は、キャップを回して千切ることによって、ノズル部の注出口を開口できる。このキャップを回してノズル部から千切る際に、ノズル部が一緒に回ることによって、ノズル部の基部に対する締め付けが緩む場合がある。ノズル部が基部に対して緩むと、ノズル部の充填口から内容物が漏れ出るので、このような事態が生じないように工夫することも必要である。
【０００７】
本発明の課題は、充填口を閉塞するために、ノズル部を基部材に取り付ける際、キャップ部とノズル部の間の破断を防止でき、さらに、内容物を注出する際、ノズル部が緩むことを防止できる注出口付き容器を提供することである。
【課題を解決するための手段】
【０００８】
本発明は、フィルムを袋状に形成したパウチであって、内部に収容部が形成されたパウチと、前記パウチの収容部に連通する充填口が形成された基部材であって、前記パウチの一部分に装着された基部材と、前記基部材にネジ機構を介して取り付けられ且つ供給用チューブを装着可能なノズル部であって、前記充填口に連通する注出口が設けられているノズル部と、前記ノズル部の注出口を閉塞するキャップ部と、を有し、前記キャップ部を軸線回り他方向に回すことによって、前記キャップ部をノズル部の注出口から分離可能な注出口付き容器において、前記ネジ機構は、ノズル部を軸線回り一方向に回すことによって、ノズル部を基部材に対して締め付け、且つノズル部を軸線回り他方向に回すことによって、ノズル部を基部材に対して緩められるように構成されており、前記キャップ部が前記ノズル部の軸線回り一方向に回ることを規制し且つ前記キャップ部が軸線回り他方向に回ることを許容するキャップ回止め機構、及び前記ノズル部が前記キャップ回止め機構の回転規制方向である前記軸線回り一方向に回ることを許容し且つ前記軸線回り他方向に回ることを規制するノズル回止め機構がそれぞれ設けられていることを特徴とする。
【０００９】
上記注出口付き容器は、パウチに装着された基部材の充填口から内容物を充填した後、該充填口を閉塞するために、キャップ部が付いたノズル部をネジ機構を介して基部材に取り付ける。すなわち、ネジ機構により、ノズル部をその軸線回り一方向に回すことによって、ノズル部を基部材に対して締め付けることができる。
上記注出口付き容器は、キャップ部がノズル部の軸線回り一方向に回ることを規制するキャップ回止め機構が設けられているので、ノズル部を軸線回り一方向に回す際に、誤ってキャップ部に軸線回り一方向の回転力が加わっても、該キャップ部が回ることを防止できる。従って、ノズル部を装着する際に、キャップ部とノズル部の間に部分的な破断が生じることを防止できる。
【００１１】
上記注出口付き容器は、キャップ部をノズル部から分離することによって、ノズル部の注出口を開口し、そこから内容物を注出できる。
上記注出口付き容器は、ノズル部が軸線回り他方向に回ることを規制するノズル回止め機構と、キャップ部がノズル部の軸線回り他方向に回ることを許容するキャップ回止め機構と、が設けられているので、キャップ部を軸線回り他方向に回した際に、ノズル部がキャップ部と一緒に回ることを防止できる。従って、キャップ部とノズル部の境界部分に捩れが生じ、キャップ部を確実にノズル部から分離して、注出口を開口できる。また、上記のように、キャップ部を回す際にノズル部が回らないので、ノズル部が基部材に対して緩むこともない。
【００１２】
本発明の好ましい注出口付き容器は、上記ノズル部及びキャップ部が、合成樹脂の一体成形品で形成されている。
【発明の効果】
【００１３】
本発明に係る注出口付き容器は、内容物を充填後、充填口を閉塞するために、ノズル部を基部材に取り付ける際、キャップ部とノズル部の間に破断が生じることを防止できる。
さらに、本発明の注出口付き容器は、内容物を注出する際、キャップ部を確実にノズル部から分離でき、且つノズル部が基部材に対して緩むことを防止できる。
【発明を実施するための最良の形態】
【００１４】
以下、本発明について、図面を参照しつつ具体的に説明する。
ただし、軸線とは、ノズル部の水平断面（図５に示す断面）の中心を通り、且つ前記水平断面に対して垂直な方向をいう。軸線回り一方向とは、前記軸線を中心とする時計回りまたは反時計回りの何れかの方向をいい、軸線回り他方向とは、前記軸線回り一方向と反対の方向をいう。
図１〜図４において、１は、可撓性のあるパウチ２と、パウチ２の一部分に装着された基部材３と、基部材３にネジ機構を介して取り付けられたノズル部５と、ノズル部５の注出口５９を閉塞するキャップ部７と、を有する注出口付き容器を示す。
【００１５】
パウチ２は、柔軟なフィルムからなる。該フィルムを袋状に形成することによって、内部に収容部２３が形成されたパウチ２が構成されている。
具体的には、パウチ２は、所定形状（例えば、矩形状など）の表面フィルム２１と裏面フィルム２２を重ね合わせ、その三辺部において表裏面フィルム２１，２２の内面同士が接着され、且つ残る一辺部において表裏面フィルム２１，２２の間に基部材３を挟み込んだ状態で接着されている。なお、前記接着した部分を分かりやすく図示するため、図１において、前記接着した部分を薄墨塗りで示している。
【００１６】
前記表裏面フィルム２１，２２同士及び表裏面フィルム２１，２２と基部材３の接着方法としては、代表的には熱シールであるが、溶剤を用いた接着、接着剤を用いた接着などでもよい。
上記パウチ２は、表裏面フィルム２１，２２の周辺部が接着されることにより、内容物を密封状に充填するための収容部２３が内部に形成されている。また、上記基部材３は、表裏面フィルム２１，２２の一辺部に挟み込まれて接着されており、基部材３に形成された充填口３９が外部に開口されている。この充填口３９は、基部材３の導通路３３を介して、パウチ２の収容部２３に連通している。
表裏面フィルム２１，２２の一辺部に対向する他辺部には、吊り下げ用の孔部２４が形成されている。この吊り下げ用の孔部２４は、表面フィルム２１の重心を基準にして、基部材３と点対称な位置に形成されている。本実施形態では、基部材３は、表裏面フィルム２１，２２の一辺部の略中央部に接着にて装着されているので、吊り下げ用の孔部２４は、前記他辺部の略中央部に形成されている。
【００１７】
なお、パウチ２の形態は、上記のように表裏面フィルム２１，２２から形成される袋に限られず、パウチ２は、従来公知の形態を採用することができる。本発明のパウチ２は、例えば、表裏面フィルムと、表裏面フィルムの両側辺部に挟み込まれた両側面ガセットフィルムと、から形成される自立可能な袋でもよい（図示せず）。
【００１８】
パウチ２を構成するフィルムとしては、特に限定されず、従来公知の柔軟なフィルムを用いることができる。該パウチ２を構成するフィルムは、好ましくは、ガスバリア性（水蒸気バリア性を含む）又は／及び光バリア性を有するフィルムが用いられる。なお、通常、該フィルムの材質は、合成樹脂を主成分とする。
上記ガスバリア性を有するフィルムとしては、シリカやアルミナなどを蒸着した透明蒸着フィルムを例示できる。光バリア性を有するフィルムとしては、遮光性インキなどをベタ状に印刷した印刷フィルム、顔料などを樹脂組成物に混合して製膜した色付きフィルムなどを例示できる。ガスバリア性及び光バリア性を有するフィルムとしては、金属箔を積層したフィルム、金属などを蒸着した蒸着フィルムなどを例示できる。
さらに、上記パウチ２を構成するフィルムは、内面にシーラント層を有するフィルムが好ましい。シーラント層を有するフィルムを用いることにより、熱シールによってパウチ２を形成できる。前記シーラント層としては、ポリエチレン（ＰＥ）、ポリプロピレン（ＰＰ）、エチレン−ビニルアルコール共重合体などを例示できる。
【００１９】
パウチ２を構成するフィルムは、上記ガスバリア性又は／及び光バリア性を有するフィルムに、シーラント層が積層された積層フィルムが好ましい。さらに、該積層フィルムには、フィルムの剛性を高めるため、ベースフィルムが積層されていてもよい。ベースフィルムとしては、ポリエチレンテレフタレートなどのエステル系樹脂フィルム、ナイロンなどのアミド系樹脂フィルム、オレフィン系樹脂フィルムなどを例示できる。ベースフィルムは、これら１種のフィルムの単層又はこれら２種以上のフィルムの積層体の何れでも良い。
最も好ましくは、パウチ２を構成するフィルムは、内面から順に、上記シーラント層と、上記ガスバリア性又は／及び光バリア性を有するフィルムと、上記ベースフィルムと、が積層された積層フィルムである。
なお、上記パウチ２を構成するフィルムには、必要に応じて、商品名、使用説明などの所望の表示が印刷される。
【００２０】
次に、上記基部材３は、表裏面フィルム２１，２２に接着される被接着部３１と、前記被接着部３１から外方へ突設された筒状部３２と、を有する。
前記被接着部３１は、例えば、上面視舟形状に形成されている。図４に示すように、該被接着部３１の内部には、パウチ２の収容部２３に通じる導通路３３が貫通されている。該被接着部３１は、表裏面フィルム２１，２２の一辺部の間に挟み込まれ、表裏面フィルム２１，２２の内面と被接着部３１の外面とが接着されている。該被接着部３１を表裏面フィルム２１，２２に接着することにより、基部材３がパウチ２に装着されている。該被接着部３１は、表裏面フィルム２１，２２の内面と熱シール可能な材質（例えば、ポリエチレンなどのポリオレフィン系樹脂など）で形成されていることが好ましい。
【００２１】
上記被接着部３１を介してパウチ２に装着された基部材３は、その筒状部３２がパウチ２の外部へ突出している。
前記筒状部３２の内部には、前記被接着部３１の導通路３３に連通する導通路が形成されている。また、該筒状部３２の上端部には、充填口３９が形成され、該充填口３９は、導通路３３を介してパウチ２の収容部２３に連通している。なお、特に図示しないが、基部材３の被接着部３１には、パウチ２の収容部２３内に延びる導通管が延出されていてもよい。
【００２２】
上記基部材３の筒状部３２の外周面には、雄ネジ部３４が形成されている。該雄ねじ部３４は、ノズル部５の雌ネジ部５４に螺合しうる。
さらに、前記筒状部３２の外周面には、雄ねじ部３４よりも下方位置に、ノズル部５の被係合部６に係合する係合部４が設けられている。以下、前記ノズル部５の被係合部６を「ノズル被係合部」といい、前記基部材３の係合部４を「基部材係合部」という。
この基部材係合部４は、図５に示すように、筒状部３２の外周面から突設された垂直面４１と傾斜面４２とを有し、垂直面４１及び傾斜面４２を対峙させた略三角形状の突起を複数所定間隔を開けて軸線Ｏ回りに周設することによって構成されている。前記垂直面４１は、筒状部３２の外周面の接線方向に対して垂直状に突設された面である。前記傾斜面４２は、垂直面４１の頂部から軸線回り他方向Ｌへ傾斜した面である。
なお、上記傾斜面４２の垂直面４１に対する傾斜角度は、６０°〜８０°程度が好ましい。以下、ノズル係合部８の傾斜面８２及びキャップ被係合部９の傾斜面９２も、それぞれ対応する垂直面８１，９１に対して、同程度の傾斜角度が好ましい。
【００２３】
なお、基部材３の被接着部３１と筒状部３２の間には、充填装置のガイドレールに吊り下げるための掛止部３５が形成されている。該掛止部３５は、筒状部３２の下方において、筒状部３２よりも外側へ板部３６を延出することによって形成されている。
【００２４】
次に、上記ノズル部５は、基部材３に着脱可能に取り付けられる取付部５１と、前記取付部５１に設けられたチューブ装着部５２と、を有する。
上記取付部５１は、上記基部材３の筒状部３２に外嵌可能な筒状に形成されており、取付部５１の内周面には、前記筒状部３２の雄ネジ部３４に螺合する雌ネジ部５４が形成されている。前記ノズル部５の取付部５１は、前記雄ネジ部３４と雌ネジ部５４のネジ機構によって、基部材３の筒状部３２に着脱可能である。具体的には、ノズル部５の取付部５１を基部材３の筒状部３２に外嵌し、ノズル部５を軸線回り一方向Ｒ（例えば、ノズル部の上端側から見て時計回り方向）に回すことによって、ノズル部５は、基部材３の筒状部３２に対して締め付けられ、ノズル部５を基部材３に取り付けることができる。一方、上記ノズル部５を軸線回り他方向Ｌ（前記軸線回り一方向Ｒと反対の方向。例えば、ノズル部の上端側から見て反時計回り方向）に回すことによって、ノズル部５は、基部材３の筒状部３２に対して緩められる。
【００２５】
また、ノズル部５の取付部５１の内周面には、上記基部材係合部４に係合するノズル被係合部６が設けられている。このノズル被係合部６は、雌ネジ部５４よりも下方位置に設けられる。ノズル被係合部８は、図５に示すように、取付部５１の内周面から傾斜状に突設された板状片６１を有する。該板状片６１は、先端が自由端部とされた所謂板バネである。該板状片６１は、取付部５１の内周面の軸線Ｏ回りに、複数所定間隔を開けて突設されている。板状片６１の形成数及び形成間隔は、好ましくは上記垂直面４１の形成数及び形成間隔と同じである。該板状片６１は、前記基部材係合部４の傾斜面４２に対して略平行に延びて傾斜状に突設されている。
従って、ノズル部５に軸線回り一方向Ｒの回転力を加えた際には、板状片６１（ノズル被係合部６）の自由端部が、基部材係合部４の傾斜面４２の上を摺動し、且つ板状片６１が径方向に揺動するため、ノズル部５を軸線回り一方向Ｒに容易に回すことができる。
一方、ノズル部５に軸線回り他方向Ｌの回転力を加えた際には、板状片６１の自由端部が、基部材係合部４の垂直面４１に当たり、板状片６１の延出方向と垂直面４１が略垂直となるため、該板状片６１が突っ張り、ノズル部５を軸線回り他方向Ｌに回すことができない。
上記ノズル被係合部６と基部材係合部４は、ノズル部５が軸線回り一方向Ｒに回ることを許容し且つ軸線回り他方向Ｌに回ることを規制するノズル回止め機構に相当する。
【００２６】
上記ノズル部５のチューブ装着部５２は、チューブ装着部５２の外周面が上方に向かうに従って縮径する中空円錐状に形成されている。前記チューブ装着部５２の内部には、基部材３の充填口３９に連通する連通路５３が形成されている。該チューブ装着部５２の上端部には、注出口５９が形成され、該注出口５９は、チューブ装着部５２の連通路５３を介して基部材３の充填口３９に連通している。
なお、特に図示しないが、チューブ装着部５２の外周面には、供給用チューブの脱落を防止するため、軸線回りに延びる凸部を上下多段に設けてもよい。
【００２７】
また、上記ノズル部５には、キャップ部７の被係合部９に係合する係合部８が設けられている。以下、前記キャップ部７の被係合部９を「キャップ被係合部」といい、前記ノズル部５の係合部８を「ノズル係合部」という。
このノズル係合部８は、図６に示すように、ノズル部５の取付部５１の上面の周縁部から突設された垂直面８１と傾斜面８２とを有し、垂直面８１及び傾斜面８２からなる略三角形状の突起を複数所定間隔を開けて軸線Ｏ回りに周設することによって構成されている。前記垂直面８１は、取付部５１の上面に対して垂直状に突設された面である。前記傾斜面８２は、垂直面８１の頂部から軸線回り一方向Ｒへ傾斜した面である。なお、上記ノズル係合部８は、ノズル部５の上面の周縁部の全周に亘って形成されていてもよいが、本実施形態では、前記ノズル係合部８は、ノズル部５の上面の周縁部のうち、チューブ装着部５２を中心にして対向する２箇所の縁部にそれぞれ設けられている（図１参照）。
【００２８】
次に、キャップ部７は、ノズル部５の注出口５９を閉塞する栓部７１と、前記栓部７１に連結された把持部７２と、を有する。
キャップ部７とノズル部５は、合成樹脂の一体成形品で形成されている。具体的には、キャップ部７とノズル部５は、キャップ部７の栓部７１とノズル部５のチューブ装着部５２の上端部において一体的に繋がっている。このキャップ部７の栓部７１とノズル部５のチューブ装着部５２の境界部分には、内側へやや凹み、且つ肉厚が少し薄くなった薄肉部７３が形成されている。かかる薄肉部７３を形成することにより、キャップ部７を回した際に、該薄肉部７３にてキャップ部７とノズル部５を容易に分断できる。
【００２９】
キャップ部７の把持部７２は、栓部７１と一体的に形成され、前記栓部７１を中心にして径外方向に直線状に延びる本体部７４と、前記本体部７４の両端部からノズル係合部８に対向するように下方に延びる脚部７５と、を有する。なお、把持部７２とノズル部５は、非連結であり、両者は、独立している。
上記脚部７５には、キャップ被係合部９が形成されている。
このキャップ被係合部９は、図６に示すように、脚部７５の下方から突設された垂直面９１と傾斜面９２とを有し、該垂直面９１及び傾斜面９２からなる略三角形状の突起によって構成されている。キャップ被係合部９の垂直面９１は、ノズル係合部８の垂直面８１と僅かな隙間を有した状態で対面しており、キャップ被係合部９の傾斜面９２は、ノズル係合部８の傾斜面８２と僅かな隙間を有した状態で対面している。
従って、キャップ被係合部９とノズル係合部８は、噛み合っている。
【００３０】
上記キャップ部７に軸線回り他方向Ｌの回転力を加えた際には、キャップ被係合部９の傾斜面９２が、ノズル係合部８の傾斜面８２の上を摺動し、キャップ部７を軸線回り他方向Ｌに容易に回すことができる。
一方、キャップ部７に軸線回り一方向Ｒの回転力を加えた際には、キャップ被係合部９の垂直面９１が、ノズル係合部８の垂直面８１に当たるため、キャップ部７を軸線回り一方向Ｒに回すことができない。
上記ノズル係合部８とキャップ被係合部９は、キャップ部７が軸線回り一方向Ｒに回ることを規制し且つ軸線回り他方向Ｌに回ることを許容するキャップ回止め機構に相当する。
【００３１】
上記注出口付き容器１は、使用時、パウチ２の収容部２３に内容物が充填される。
充填される内容物は、特に限定されない。もっとも、本発明の注出口付き容器１は、供給用チューブをノズル部５に装着できることから、内容物としては、医療用流動体が好ましい。
該内容物の充填は、例えば、次のようにして実施できる。
基部材３が装着されたパウチ２の該基部材３の掛止部３５を、充填装置のガイドレールに引掛ける。前記ガイドレールに掛けられた複数のパウチ２から個々のパウチ２を取り、その基部材３の充填口３９から、パウチ２の収容部２３に内容物を充填する。充填後、基部材３の筒状部３２にノズル部５の取付部５１を外嵌し、ノズル部５を軸線回り一方向Ｒに回すことによって、ネジ機構を介して、ノズル部５を筒状部３２に取り付けることができる。該ノズル部５の注出口５９は、キャップ部７にて閉塞されているので、前記ノズル部５を基部材３に装着することによって、前記充填口３９を閉塞できる。このようにして、図１〜図３に示すような、注出口付き容器１を得ることができる。なお、図１〜図３では、内容物が充填されていない状態で図示している。
【００３２】
上記のように、基部材３の充填口３９から内容物を充填する方式の場合、高速充填が可能であり、又、収容部２３内により多くの内容物を充填することができる。
【００３３】
本発明の注出口付き容器１は、基部材３とノズル部５の間に、ノズル部５が軸線回り一方向Ｒに回ることを許容し且つ軸線回り他方向Ｌに回ることを規制するノズル回止め機構が設けられ、ノズル部５とキャップ部７の間に、キャップ部７が軸線回り一方向Ｒに回ることを規制し且つ軸線回り他方向Ｌに回ることを許容するキャップ回止め機構が設けられている。
このため、充填後、ノズル部５に軸線回り一方向Ｒの回転力を加える際、誤ってキャップ部７に軸線回り一方向Ｒの回転力が加わっても、該キャップ部７は、キャップ回止め機構によって、その方向Ｒへの回転が規制される。従って、ノズル部５を取り付ける際に、誤ってキャップ部７が回ることを防止でき、キャップ部７とノズル部５の間に部分的な破断が生じる虞がない。よって、充填後に液漏れしない注出口付き容器１を提供できる。
【００３４】
一方、充填後の注出口付き容器１の内容物を注出する際には、キャップ部７を軸線回り他方向Ｌに回転させる。上記のように、キャップ回止め機構は、キャップ部７が軸軸線回り他方向Ｌに回ることを許容し、且つ、ノズル回止め機構は、ノズル部５が軸線回り他方向Ｌに回ることを規制するので、該キャップ部７に軸線回り他方向Ｌの回転力を加えた際、ノズル部５がキャップ部７と一緒に他方向Ｌに回る虞がない。従って、前記他方向Ｌに回るキャップ部７と前記のように動かないノズル部５との境界部分（薄肉部７３）に捩れが生じ、その部分において分断され、キャップ部７をノズル部５から分離することができる。
また、キャップ部７を回す際にノズル部５が回らないので、ノズル部５が基部材３に対して緩み、基部材３の充填口３９からノズル部５と基部材３の間隙を通って、内容物が漏れ出る虞もない。
【００３５】
キャップ部７を分離すると、ノズル部５の注出口５９が開口する。該ノズル部５のチューブ装着部５２に供給用チューブを装着することにより、注出口５９から注出される内容物を供給用チューブを介して供給できる。なお、供給用チューブが装着された注出口付き容器１は、パウチに形成された孔部２４をフックなどに引掛け、吊り下げ使用してもよい。
【００３６】
次に、本発明の変形例について説明する。ただし、上記実施形態と異なる構成について主として説明し、同様の構成及び効果については、説明を省略し、用語及び符号をそのまま援用する場合がある。
【００３７】
上記実施形態のノズル回止め機構は、基部材３に、垂直面４１と傾斜面４２とを有する基部材係合部４が設けられ、且つノズル部５に、板状片６１を有するノズル被係合部６が設けられているが、これと反対に、基部材３に、上記と同様の板状片が設けられ、且つノズル部５に、上記と同様の垂直面及び傾斜面が設けられていてもよい。また、ノズル回止め機構として、上記キャップ回止め機構で例示したような構成を採用することもできる。
本発明のノズル回止め機構は、ノズル部５が軸線回り一方向Ｒに回ることを許容し且つ軸線回り他方向Ｌに回ることを規制するように構成されていれば良く、その具体的な構成は問わない。
【００３８】
また、上記実施形態のキャップ回止め機構は、ノズル部５に、垂直面８１と傾斜面８２とを有するノズル係合部８が設けられ、且つキャップ部７に、前記ノズル係合部８に噛み合う垂直面９１と傾斜面９２とを有するキャップ係合部９が設けられているが、キャップ回止め機構は、これに限定されず、様々な構成に変更できる。例えば、図７に示すように、キャップ部７の脚部７５をノズル部５の取付部５１の上面近傍まで延設し、且つ、前記該脚部７５の軸線回り一方側Ｒへ向く面側において、前記取付部５１の上面にストッパー部８４を突設してもよい。この構成の場合、キャップ部７を軸線回り一方向Ｒへ回そうとすると、キャップ部７の脚部７５が、ノズル部５のストッパー部８４に当たり、キャップ部７が前記一方向Ｒに回ることを規制できる。
本発明のキャップ回止め機構は、キャップ部７が軸線回り一方向Ｒに回ることを規制し且つ軸線回り他方向Ｌに回ることを許容するように構成されていれば良く、その具体的な構成は問わない。
【００３９】
また、上記ノズル部５とキャップ部７は、合成樹脂の一体成形品で形成されているが、必ずしも一体成形品に限られない。例えば、ノズル部５とキャップ部７とを別々に形成し、ノズル部５の注出口５９を閉塞するように、ノズル部５の上端部に別体のキャップ部７の栓部７１を嵌め合わせ、該嵌合部分を接着してもよい。この接着方法としては、接着剤を用いた接着、ノズル部５とキャップ部７が溶剤接着可能な材質からなる場合には溶剤接着、ノズル部５とキャップ部７が熱溶着可能な材質からなる場合には熱溶着、などを例示できる。
【図面の簡単な説明】
【００４０】
【図１】一実施形態に係る注出口付き容器を示す正面図。
【図２】同側面図。
【図３】同上面図。
【図４】Ｉ−Ｉ線で切断した一部両略拡大断面図。
【図５】ＩＩ−ＩＩ線で切断した拡大端面図。
【図６】丸囲いＩＩＩ部の拡大図。
【図７】他の実施形態に係る注出口付き容器を示す側面図。
【符号の説明】
【００４１】
１…注出口付き容器、２…パウチ、３…基部材、３４…基部材の雄ネジ部、３９…充填口、４…基部材係合部、５…ノズル部、５４…ノズル部の雌ネジ部、５９…注出口、６…ノズル被係合部、７…キャップ部、８…ノズル係合部、９…キャップ被係合部、Ｒ…軸線回り一方向、Ｌ…軸線回り他方向
【図１】
0004999600.tif 000002
【図２】
0004999600.tif 000003
【図３】
0004999600.tif 000004
【図４】
0004999600.tif 000005
【図５】
0004999600.tif 000006
【図６】
0004999600.tif 000007
【図７】
0004999600.tif 000008